(57)【要約】      （修正有）【課題】横桟をユニット化して取り付けることができて施工性が良いことに加えて、部品形状の簡素化を図ることができる横桟取り付け構造を提供する。【解決手段】柱材１１に横桟４５を取り付けるための横桟取り付け構造であって、柱材１１は、長尺の柱本体２０と縦枠材３０とを組み合わせることで中空部１１ａを形成する略四角柱状であり、２本の縦枠材３０の間に複数の横桟４５を固定してパネル体を形成し、柱本体２０に取り付け可能とした。【選択図】図６
2014125848.tif 000002
【特許請求の範囲】
【請求項１】
柱材に横桟を取り付けるための横桟取り付け構造であって、
前記柱材は、長尺の柱本体と縦枠材とを組み合わせることで中空部を形成する略四角柱状であり、
２本の前記縦枠材の間に複数の前記横桟を固定して形成したパネル体を前記柱本体に取り付け可能であることを特徴とする、横桟取り付け構造。
【請求項２】
前記横桟は前記縦枠材にネジで固定され、前記ネジの頭部を前記中空部に収容したことを特徴とする、請求項１記載の横桟取り付け構造。
【発明の詳細な説明】
【技術分野】
【０００１】
この発明は、間仕切り状に横桟を設置するための横桟取り付け構造に関する。
【背景技術】
【０００２】
間仕切り状に横桟を設置するための横桟の取付方法としては、例えば、設置面に立設した支柱の長手方向に沿って複数の横桟を順に固定する方法が知られている。しかしながら、このように複数の横桟を順に固定することとすると、横桟を水平状態に保持した状態で一本ずつビス止め等する必要があるので、施工性が悪いという問題があった。
【０００３】
こうした問題を解決する方法として、例えば特許文献１には、左右の縦材に横格子を等間隔に取り付けて複数の格子ユニットを形成し、この格子ユニットの縦材を支柱の側面にビス止め固定した発明が提案されている。このよう構成によれば、現場で格子を一本ずつ組みつけるのではなく、ユニット化された格子ユニットを取り付けることにより格子フェンスを組み立てることができるので、施工性が非常によく、簡単、迅速かつ確実に取り付けることができるという効果がある。
【先行技術文献】
【特許文献】
【０００４】
【特許文献１】特開２００９−０６８２７０号公報
【発明の概要】
【発明が解決しようとする課題】
【０００５】
しかし、上記した特許文献１記載の発明のように、格子ユニットの縦材を支柱の側面にビス止め固定する構成の場合、ビス止めする箇所の柱強度が確保される必要があるため、縦材と支柱との重なり合う部分に肉厚を持たせる必要があった。このような制限は、構造を簡素化する妨げとなるものであった。
【０００６】
そこで、本発明は、横桟をユニット化して取り付けることができて施工性が良いことに加えて、部品形状の簡素化を図ることができる横桟取り付け構造を提供することを課題とする。
【課題を解決するための手段】
【０００７】
本発明は、上記した課題を解決するためになされたものであり、以下を特徴とする。
【０００８】
（請求項１）
請求項１に記載の横桟取り付け構造は、柱材に横桟を取り付けるための横桟取り付け構造であって、前記柱材は、長尺の柱本体と縦枠材とを組み合わせることで中空部を形成する略四角柱状であり、２本の前記縦枠材の間に複数の前記横桟を固定して形成したパネル体を前記柱本体に取り付け可能であることを特徴とする。
【０００９】
（請求項２）
請求項２に記載の発明は、上記した請求項１記載の発明の特徴点に加え、以下の点を特徴とする。
【００１０】
すなわち、前記横桟は前記縦枠材にネジで固定され、前記ネジの頭部を前記中空部に収容したことを特徴とする。
【発明の効果】
【００１１】
請求項１に記載の発明は上記の通りであり、２本の縦枠材の間に複数の横桟を固定することでパネル体を形成して取り付け可能であるので、横桟をユニット化して取り付けることができるので、施工性が良い。
【００１２】
また、柱材は長尺の柱本体と縦枠材とを組み合わせることで中空部を形成する略四角柱状である。すなわち、柱本体と縦枠材とが結合して中空柱形状の見かけとなることで柱材自体の強度を確保しているので、横桟をユニット化するための縦枠材が柱材の強度を負担する構成となっており、柱本体の部品形状を簡素化することができる。
【００１３】
また、請求項２に記載の発明は上記の通りであり、前記横桟は前記縦枠材にネジで固定され、前記ネジの頭部を前記中空部に収容したので、中空部を利用してネジ頭部を隠すことができ、意匠性を向上させることができる。
【図面の簡単な説明】
【００１４】
【図１】本発明の実施形態に係る柵の正面図である。
【図２】柵の端部柱付近の分解斜視図である。
【図３】柵の端部柱付近の分解平面図である。
【図４】縦枠材に横桟を取り付ける様子を示す平面図である。
【図５】パネル体を柱本体に取り付ける様子を示す正面図である。
【図６】パネル体及びカバー材を柱本体に取り付ける様子を示す平面図である。
【図７】柵の中間柱付近の（ａ）分解平面図、（ｂ）平面図である。
【発明を実施するための形態】
【００１５】
本発明の実施形態について、本発明に係る横桟取り付け構造を備えた柵１０を例にして、図を参照しながら説明する。
【００１６】
本実施形態に係る柵１０は、図１に示すように、地上面に立設した柱材の間に複数の横桟４５が略水平に取り付けられて構成されている。柱材は、柵１０の両端に配置された端部柱１１と、柵１０の中間に配置された中間柱１２と、の２種類からなっている。
【００１７】
図２は、柵１０の端部柱１１付近の分解斜視図である。この図２が示すように、端部柱１１は、柱本体２０と、縦枠材３０と、カバー材４０と、を備えている。
【００１８】
柱本体２０は、金属製（例えばアルミ製の押し型材）の長尺部材であり、下端部が埋設されることで地上面に立設して固定されるものである。
【００１９】
この柱本体２０は、図３に示すように、側部に縦枠材３０を取り付けるための取付部２２を備えている。この取付部２２は、柱本体２０の中間に設けられた仕切部２１の両側から第１突出片２３と第２突出片２４とが略直角に突出した略コ字状で形成されている。第２突出片２４は第１突出片２３よりもやや長く形成されており、第２突出片２４の先端付近には内向きの突起２５が設けられている。この第１突出片２３及び第２突出片２４は、縦枠材３０と係合するようになっており、取付部２２の略コ字状を覆うように縦枠材３０が取り付けられることで後述する中空部１１ａが形成されるようになっている。
【００２０】
また、柱本体２０の正面には、カバー材４０を取り付けるための一対のカバー材挟持部２６が長手方向に筋状に突出形成されている。
【００２１】
縦枠材３０は、金属製（例えばアルミ製の押し型材）の長尺部材であり、柱本体２０よりもやや短く形成されている。詳しくは、柱本体２０は埋設される下端部を含むが、縦枠材３０は埋設されないため、少なくともこの下端部の分だけ短く形成されている。この縦枠材３０は、図３に示すように、平板な基部３１の両側に第１係合片３２と第２係合片３３とを形成した形状となっている。柱本体２０に縦枠材３０を取り付ける際には、第１係合片３２を柱本体２０の第１突出片２３に係合させ、第２係合片３３を柱本体２０の第２突出片２４に係合させる。なお、第２係合片３３には凹部３４が形成されており、第２係合片３３を柱本体２０の第２突出片２４に係合させたときに、この凹部３４と第２突出片２４の突起２５とが掛止されるようになっている。
【００２２】
カバー材４０は、金属製（例えばアルミ製の押し型材）の長尺板部材であり、柱本体２０と縦枠材３０との接続部を覆うものである。このカバー材４０は、図３に示すように、平板なカバー部４１の裏側に一対の挿入爪部４２が突出形成された形状となっている。このカバー材４０は、挿入爪部４２が柱本体２０のカバー材挟持部２６の間に嵌入されることで、柱本体２０に取り付けられ、柱本体２０の正面側を覆うものである。
【００２３】
本実施形態において柱材に横桟４５を取り付ける手順は以下の通りである。
【００２４】
まず、図４に示すように、縦枠材３０に横桟４５を取り付ける。具体的には、縦枠材３０の基部３１の外側に横桟４５の端部を当接させ、基部３１の貫通孔（図示せず）を貫通するように横桟固定ネジ４７を差し込む。そして、基部３１を貫通した横桟固定ネジ４７を横桟４５の内部に形成したビスホール（図示せず）に螺合させることで、縦枠材３０と横桟４５とを結合する。なお、横桟４５は、縦枠材３０の長手方向に沿って複数取り付けられる。また、縦枠材３０は横桟４５の両端部に取り付けられる。
【００２５】
このように２本の縦枠材３０の間に複数の横桟４５を固定することで、図５に示すようなパネル体４６が形成される。このパネル体４６を、予め地上面に立設して設けられた柱本体２０に取り付ける。具体的には、図６に示すように、柱本体２０と縦枠材３０とを結合することでパネル体４６が取り付けられる。柱本体２０に縦枠材３０を取り付ける際には、第１突出片２３の側から縦枠材３０を差し込み、第１係合片３２を第１突出片２３に重合させるとともに、第２係合片３３を第２突出片２４に重合させる。このとき、凹部３４と突起２５とを係合させるが、この係合箇所は端部柱１１の内部に隠れるようになっている。
【００２６】
柱本体２０と縦枠材３０とを組み合わせたら、第１係合片３２の貫通孔（図示せず）を貫通するように縦枠材固定ネジ４８を差し込む。そして、第１係合片３２を貫通した縦枠材固定ネジ４８を第１突出片２３に形成したネジ孔（図示せず）に螺合させることで、柱本体２０と縦枠材３０とを結合する。なお、第２係合片３３側では凹部３４と突起２５とが係合しているため、第１係合片３２側のみ縦枠材固定ネジ４８で固定すれば、柱本体２０と縦枠材３０とが外れることなく固定されるようになっている。
【００２７】
そして、柱本体２０と縦枠材３０との接続部及び縦枠材固定ネジ４８を隠すようにカバー材４０を装着すれば、横桟４５の取り付けが完了する。
【００２８】
このように横桟４５の取り付けることで、図６（ｂ）に示すように、柱本体２０と縦枠材３０との間に中空部１１ａが形成され、端部柱１１は中空略四角柱状となる。そして、横桟固定ネジ４７の頭部４７ａはこの中空部１１ａに収容された状態となる。
【００２９】
なお、上記した説明においては、端部柱１１について説明したが、中間柱１２においても同様の手順にて取り付けることができる。すなわち、図７に示すように、中間柱１２においては、片側に取付部２２を備えた柱本体２０の代わりに、両側に取付部２２を備えた柱本体２０を使用しており、この柱本体２０の両側に縦枠材３０を取り付ける。なお、中間柱１２においては、柱本体２０と縦枠材３０とで形成される中空部１２ａは、仕切部２１を挟んで両側に形成されることとなる。
【００３０】
以上説明したように、本実施形態によれば、２本の縦枠材３０の間に複数の横桟４５を固定することでパネル体４６を形成して取り付け可能であるので、横桟４５をユニット化して取り付けることができるので、施工性が良い。
【００３１】
また、柱材１１，１２は長尺の柱本体２０と縦枠材３０とを組み合わせることで中空部１１ａ，１２ａを形成する略四角柱状である。すなわち、柱本体２０と縦枠材３０とが結合して中空柱形状の見かけとなることで柱材１１，１２自体の強度を確保しているので、横桟４５をユニット化するための縦枠材３０が柱材１１，１２の強度を負担する構成となっており、柱本体２０の部品形状を簡素化することができる。
【００３２】
また、前記横桟４５は前記縦枠材３０に横桟固定ネジ４７で固定され、前記横桟固定ネジ４７の頭部４７ａを前記中空部１１ａ，１２ａに収容したので、中空部１１ａ，１２ａを利用してネジ頭部を隠すことができ、意匠性を向上させることができる。
【符号の説明】
【００３３】
１０  柵
１１  端部柱（柱材）
１１ａ  中空部
１２  中間柱（柱材）
１２ａ  中空部
２０  柱本体
２１  仕切部
２２  取付部
２３  第１突出片
２４  第２突出片
２５  突起
２６  カバー材挟持部
３０  縦枠材
３１  基部
３２  第１係合片
３３  第２係合片
３４  凹部
４０  カバー材
４１  カバー部
４２  挿入爪部
４５  横桟
４６  パネル体
４７  横桟固定ネジ
４７ａ  頭部
４８  縦枠材固定ネジ
【図１】
2014125848.tif 000003
【図２】
2014125848.tif 000004
【図３】
2014125848.tif 000005
【図４】
2014125848.tif 000006
【図５】
2014125848.tif 000007
【図６】
2014125848.tif 000008
【図７】
2014125848.tif 000009